【事件の表示】
　特願２００４−１１６１７４「端末装置、センタ装置、通信システム、端末装置の制御方法、センタ装置の制御方法、端末装置制御プログラム、センタ装置制御プログラム、および該プログラムを記録した記録媒体」拒絶査定不服審判事件〔平成１６年１１月２５日出願公開、特開２００４−３３６７２３〕について、次のとおり審決する。
【結　論】
　本件審判の請求は、成り立たない。
【理　由】
第１　手続の経緯及び本願発明
　本願は、平成１６年４月９日（優先権主張平成１５年４月１７日）の出願であって、特許請求の範囲の請求項１に係る発明（以下、「本願発明」という。）は、平成１９年１２月２７日付け手続補正書により補正された明細書及び図面の記載からみて、その特許請求の範囲の請求項１に記載された以下のとおりのものと認める。
　
（本願発明）
「１または複数の外部機器と接続するとともに、複数の端末装置に映像および／または音声のデータを送信するセンタ装置であって、
　上記端末装置と通信する通信手段と、
　自装置に接続されている上記外部機器である接続機器を識別する識別情報と、上記接続機器の利用状況を示す機器利用情報と、上記接続機器を利用している上記端末装置以外の上記端末装置による遠隔操作が可能か否かを示す操作可否情報とを記憶する記憶手段と、
　該記憶手段が記憶した識別情報を、上記通信手段を介して上記端末装置に送信する識別情報送信手段と、
　上記接続機器の遠隔操作を行うための遠隔操作データであって、上記遠隔操作の内容を示す遠隔操作情報と、遠隔操作の対象となる上記接続機器の識別情報とを含む遠隔操作データを、上記端末装置から上記通信手段を介して取得する遠隔操作データ取得手段と、
　該遠隔操作データ取得手段が取得した遠隔操作データの識別情報に対応する接続機器に対し、上記遠隔操作データの遠隔操作情報に基づいて遠隔操作を行う遠隔操作手段とを備えており、
　上記遠隔操作手段は、上記遠隔操作を行うか否かを、上記機器利用情報と上記操作可否情報とに基づいて判断することを特徴とするセンタ装置。」
　
第２　引用発明
１　引用発明１
　当審の拒絶の理由に引用された、特開２０００−３５０１７８号公報（以下、「引用文献１」という。）には、図面とともに以下の事項が記載されている。
　
（ア）「【０００２】
【従来の技術】近年、一般家庭においても子供部屋，居間等の各部屋にテレビと該テレビを操作するリモコンとが設置されるようになってきた。また、映像ソースとして単に地上波のテレビ放送番組を見るだけではなく、ＣＳチューナやビデオテープレコーダやＤＶＤプレーヤを好みに応じて選択して各種映像を視聴することが可能になってきた。
【０００３】このような場合に、ＣＳチューナやビデオテープレコーダやＤＶＤプレーヤ等のＡＶ機器は集中管理部屋（一の部屋）に設置し、テレビ，リモコンは各部屋（その他の部屋）に設置するのが一般的である。かかるシステムを映像配信システムと称する。他のＡＶ機器としては、例えばＬＤ，ビデオＣＤがある。
【０００４】図１０は、従来例の映像配信システムの構成図である。図１０に示すように、従来の映像配信システムは、第1の部屋（一の部屋）１５０に設置した複数のＡＶ機器（ＣＳチューナ，ＤＶＤプレーヤ，ビデオテーププレーヤ等）１０１〜１０３の映像・音声信号をメインユニット１１０でそれぞれ異なる周波数で変調し、その後、混合し、混合した信号を分配器１２０，伝送線１２１で第２〜第４の部屋（その他の部屋）１５１〜１５３に配信し、各部屋１５１〜１５３にあるサブテレビ１３１〜１３３のリモコン１６１〜１６２による選局操作により配信チャンネルを選局することによって、メインユニット１１０に接続されたＡＶ機器１０１〜１０３の映像・音声（ＡＶ情報）を視聴可能にする。１３０はメインユニット１１０に直結したメインテレビである。
【０００５】また、各部屋にある第１〜第３サブユニット１０１〜１０３を通してＡＶ機器１０１〜１０３に対するリモコンコードをメインユニット１１０に送信し、メインユニット１１０が受信したリモコンコードに従って、各ＡＶ機器１０１〜１０３を操作する事を可能にする。」（第２頁第２欄、段落２〜５）
　
（イ）「【０００６】
【発明が解決しようとする課題】しかしながら、従来の映像配信システムには、以下に説明する問題点がある。尚、説明の便宜上、前述の変調された任意のＡＶ機器からの映像・音声を配信しているチャンネルを、配信チャンネルＮ（Ｎは番号）と表現する。
【０００７】即ち、第２の部屋１５１にいる視聴者が第１サブユニット１４１を通してＣＳチューナを配信元にする配信チャンネル１を視聴している時に、第３の部屋１５２にいる視聴者が、第２サブユニット１４２を通して配信チャンネル１の配信元のＣＳチューナに対するリモコンコードを送信し、第２の部屋１５１にいる視聴者が視聴しているにも拘らずＣＳチューナのチャンネルを変更してしまう可能性がある事である（例えばＣＳチューナをＤＶＤプレーヤに変更する）。なお、チャンネルの変更以外に、例えば停止，逆転，途中スキップ，音声等の制御がある。」（第２頁第２欄〜第３頁第３欄、段落６〜７）
　
（ウ）「【００２２】メインユニット制御部１５は、アンテナ端子１４から入力された信号からサブユニット１０１〜１０３が送信したリモコンコードを受信し、そのリモコンコードにより赤外線発光素子１６を発光させる。またメインユニット制御部１５は、それぞれの配信チャンネルに対する操作優先権の設定値を格納するメモリを内蔵する。」（第４頁第５欄、段落２２）
　
（エ）「【００３５】次に，図３に基づいて、ユーザがＡＶ機器を操作する為にリモコンコードをサブユニットに送信した場合の動作を説明する。サブユニット制御部２４は、リモコン受光部２５からリモコンコードを受信し、ＩＤと、受信したリモコンコードのデータ３２をメインユニット１０に送信する。この送信が、「特定視聴中ＡＶ機器情報発生制御部２４ｂ」の動作である。
【００３６】（３）動作説明…メインユニット
次いで、メインユニット１０の動作を説明する。図５に示すように、メインユニット制御部１５は、サブユニットから送信されたデータを受信すると、受信したデータから識別番号３１ａ，配信チャンネルデータ３１ｂ，判別ビット３１ｃを取り出し、判別ビット３１ｃから操作優先権の申請や放棄申請を示すデータが送信されたのか、ＡＶ機器１０１〜１０３に対するリモコンコードが送信されたのかを判別する（ステップＢ１）（図１の「特定視聴中ＡＶ機器情報受信部１５ａ」の動作）。
【００３７】判別ビット３１ｃがＡＶ機器に対するリモコンコード以外を示す場合（ステップＢ２）、データ３２が操作優先権の申請を示すデータかどうかを判別する（ステップＢ３）。データ３２が操作優先権を申請するデータの場合（ステップＢ４）、メインユニット制御部１５は、配信チャンネルデータ３１ｂが示す配信チャンネルに対するメモリ内に、操作優先権の設定値が記録されているかいないかを判別する（ステップＢ５）。操作優先権の設定値が記録されていない場合は、受信したデータから取り出した識別番号３１ａをその配信チャンネルに対する操作優先権の設定値としてメインユニット制御部１５内のメモリに記録する（ステップＢ６）。既に他のサブユニットの識別番号が操作優先権の設定値として記録されている場合は、そのまま処理を終了する（ステップＢ７）。（図１の「特定サブユニット以外視聴禁止制御部１５ｂ」の動作）
【００３８】メインユニット制御部１５は、データ３２が操作優先権の申請を示すデータではない場合（ステップＢ８）、操作優先権の放棄申請を示すデータかどうか判別する（ステップＢ９）。データ３２が操作優先権の放棄申請を示すデータの場合（「視聴変更情報発生制御部２４ｃ」の動作）、メインユニット制御部１５は、配信チャンネルデータ３１ｂが示す配信チャンネルに対するメモリ内の操作優先権の設定値と、受信したデータから取り出した識別番号３１ａを比較（ステップＢ１０）し、設定値と識別番号３１ａが同じ場合は、その配信チャンネルに対する操作優先権の設定値の記録を消去する（ステップＢ１１）。設定値と識別番号３１ａが異なる場合は、既に他のサブユニットの識別番号が操作優先権の設定値として記録されているので、そのまま処理を終了する（ステップＢ１２）。（「視聴禁止解除制御部１５ｃ」の動作）
【００３９】データ３２がＡＶ機器に対するリモコンコードの場合、メインユニット制御部１５は、配信チャンネルデータ３１ｂが示す配信チャンネルの操作優先権の設定値と受信したデータから取り出した識別番号３１ａを比較し（ステップＢ１３）、設定値と識別番号３１ａが同じ場合は、受信したデータ３２に従って赤外線発光素子１６を発光する事により、その配信チャンネル元のＡＶ機器にリモコンコードを送信し（ステップＢ１４）、ＡＶ機器を操作する。設定値と識別番号３１ａが異なる場合は、既に他のサブユニットの識別番号が操作優先権の設定値として記録されているので、そのまま処理を終了する（ステップＢ１５）。」（第５頁第７欄〜第８欄、段落３５〜３９）
　なお、公報では、前記【００３６】の「（３）」は、「○囲み文字の３」である。
　
　上記摘記事項（ア）の【０００４】の記載及び図１０によれば、複数のＡＶ機器は、メインユニットに接続されているから、外部機器ということができ、
　上記摘記事項（ア）の【０００４】の記載、上記摘記事項（イ）の【０００７】の記載及び図１０によれば、メインユニットは、映像・音声信号をサブユニットに送信しており、
　上記摘記事項（ア）及び（イ）の記載によれば、メインユニットは、伝送線を介して、サブユニットに映像・音声信号を配信し、サブユニットからリモコンコードを受信しているから、サブユニットと通信する通信手段を有しているということができ、
　上記摘記事項（ウ）の記載によれば、メインユニットは、配信チャンネルに対する操作優先権の設定値を格納するメモリ（記憶手段）を有しており、
　上記摘記事項（エ）の【００３６】の記載によれば、メインユニットは、ＡＶ機器に対するリモコンコードを含むデータをサブユニットから受信（取得）しているから、該データは、遠隔操作データということができ、また、受信（取得）するための手段は、遠隔操作データ取得手段ということができ、
　上記摘記事項（エ）の【００３９】の記載によれば、メインユニットは、遠隔操作データのリモコンコードをＡＶ機器に送信して操作を行っているから、そのための手段を遠隔操作手段ということができ、
　同じく、上記摘記事項（エ）の【００３９】の記載によれば、遠隔操作手段は、配信チャンネルに対する操作優先権の設定値に基づいて、遠隔操作を行うか否かを判断している。
　
　したがって、これらの記載事項及び当該技術分野の技術常識を考慮すると、引用文献１には、以下の発明（以下、「引用発明１」という。）が記載されているものと認められる。
　
（引用発明１）
「１または複数の外部機器と接続するとともに、複数のサブユニットに映像および／または音声のデータを送信するメインユニットであって、
　上記サブユニットと通信する通信手段と、
　自装置に接続されている上記外部機器であるＡＶ機器が使用している配信チャンネル及び該配信チャンネルに対する操作優先権の設定値を記憶する記憶手段と、
　上記ＡＶ機器の遠隔操作を行うための遠隔操作データであって、上記遠隔操作の内容を示すリモコンコードと、遠隔操作の対象となる上記ＡＶ機器の使用している配信チャンネルとを含む遠隔操作データを、上記サブユニットから上記通信手段を介して取得する遠隔操作データ取得手段と、
　該遠隔操作データ取得手段が取得した遠隔操作データの配信チャンネルに対応するＡＶ機器に対し、上記遠隔操作データのリモコンコードに基づいて操作を行う遠隔操作手段とを備えており、
　上記遠隔操作手段は、上記遠隔操作を行うか否かを、上記配信チャンネルに対する操作優先権の設定値に基づいて判断するメインユニット。」
　
２　引用発明２
　当審の拒絶の理由に引用された、特開平４−３１６２９８号公報（以下、「引用文献２」という。）には、図面とともに以下の事項が記載されている。
　
（カ）「【００１８】
【実施例】図１は本発明の一実施例のマルチルームリモコンシステムのシステム構成図であり、図４の従来のマルチルームリモコンシステムと対応する部分には同一の参照符を付す。
【００１９】メインルーム２には、リモコン被制御機器としてチューナ４、ビデオテープレコーダ６、ＣＤ（コンパクトディスク）プレーヤ８、カセットデッキ10、アンプ12等のＡＶ機器14、リモコン信号送信機180や、モニタシステム300が設けられている。複数のサブルーム161，…，16nには、リモコン信号送信機181，…，18n、モニタシステム301，…，30nがそれぞれ設けられる。モニタシステム300，…，30nは、ビデオテープレコーダ６等の映像信号再生用のモニタテレビ26と、チューナ４、ビデオテープレコーダ６等の音声信号再生用のモニタスピーカ28をそれぞれ備える。
【００２０】メインルーム２のリモコン信号送信機180およびサブルーム161，…，16nのリモコン信号送信機181，…，18nは、キャリアを例えば光としている。このキャリアにＡＶ機器14を制御する機器の種類、その機器の動作を指示するリモコンコードを載せてリモコン信号を出力する。サブルーム161，…，16nのリモコン信号送信機181，…，18nのリモコン信号は、各サブルーム161，…，16nの範囲にしか届かず、メインルーム２のＡＶ機器14まで届かない。このため、リモコン信号送信機181，…，18nから出力されたリモコン信号に含まれるリモコン信号をＡＶ機器14に伝達する中継手段42が設けられる。
【００２１】中継手段42は、リモコンコントローラ44、リモコン信号受信機221，…，22n、、コントロール信号伝送ライン24、リモコンコントローラ44に設けられた記憶手段としてのＲＡＭ46、表示器481，…，48nを備える。リモコンコントローラ44は、メインルーム２に設けられる。リモコン信号受信機221，…，22n及び表示器481，…，48nは、サブルーム161，…，16nにそれぞれ設けられる。リモコンコントローラ44とリモコン信号受信機221，…，22nとの間には、コントロール信号伝送ライン24が配線される。リモコンコントローラ44と表示器481，…，48nとの間には、表示信号伝送ライン50が配線される。リモコンコントローラ44とモニタシステム300，301，…，30nとの間には、ＡＶ信号伝送ライン321，…，32nが配線される。
【００２２】リモコン信号受信機221，…，22nは、サブルーム161，…，16nのリモコン信号送信機181，…，18nからのリモコン信号を受信し、キャリアを除去し、リモコンコードにサブルーム161，…，16nのルームＮoを付加する。そして、このリモコンコードとルームＮoをコントロール信号伝送ライン24を介してリモコンコントローラ44に送信する。」（第３頁第４欄〜第４頁第５欄、段落１８〜２２）
　
（キ）「【００２３】リモコンコントローラ44は、図２に示すように、ＲＡＭ46の他、ＣＰＵ52、ＲＯＭ54、リモコン信号受信部56、機器選択スイッチ部58、動作設定スイッチ部60、モード切換スイッチ62、表示器480、セレクタ641，…，64n、リモコン信号送信部66を備える。ＲＯＭ54には、ＣＰＵ52を動作させるプログラムや、自社製のＡＶ機器14のリモコンコードが予め記憶されている。他社製のＡＶ機器14をこのシステムに組み込む場合、モード切換スイッチ62を操作して記憶モードにし、他社製のリモコン送信機からリモコン信号をリモコン信号受信部56に送る。そして、他社製のＡＶ機器14の機器の種類とその機器の動作に応じて、機器選択スイッチ部58と動作設定スイッチ部60を操作し、このＡＶ機器14のリモコンコードをＡＶ機器の種類、機器の動作を一組にして学習させる。学習したリモコンコードは、ＲＡＭ46に記憶される。学習が終わると、モード切換スイッチ62を操作して受信モードに戻す。受信モードにされている場合には、リモコン信号受信部56に受け取ったリモコン信号でＡＶ機器14を制御することができる。
【００２４】リモコンコントローラ44は、コントロール信号伝送ライン24を介してリモコンコードとルーームＮoを受け取った場合、このリモコンコードがＲＯＭ54及びＲＡＭ46に記憶されているリモコンコードに一致するものがあるかどうかチェックする。一致するものがあれば、このリモコンコードとルームＮoをＲＡＭ46に記憶するとともに、リモコンコードをＡＶ機器14に直接出力する。なお、直接出力できない場合には、このリモコン信号をリモコン信号送信部66でリモコン信号に戻し、リモコン信号送信部66からリモコン信号をＡＶ機器14のリモコン信号受信部（図示せず）に送る。ＲＯＭ54及びＲＡＭ46に一致するリモコンコードがない場合には、そのリモコンコードを受け付けない。この場合には、ＲＡＭ46にリモコンコードが記憶されることもなく、ＡＶ機器14に送られることもない。したがって、ＲＡＭ46には、各サブルーム161，…，16nから送られてきたＡＶ機器14に所定の動作を行わせる正常なリモコンコードとルームＮoが記憶される。
【００２５】ＲＡＭ46に記憶された各サブルーム161，…，16nから送られてきたリモコンコードとルームＮoは、表示信号に変換される。この表示信号は、リモコンコントローラ44の表示器480に送られるとともに、表示信号伝送ライン50を介して各サブルーム161，…，16nの表示器481，…，48nに送られる。したがって、表示器480，481，…，48nには、リモコン制御された使用中のＡＶ機器14と、ＡＶ機器14の動作内容と、ルームＮoとが表示される（図３参照）。これによって、ＡＶ機器14の動作内容と、どの部屋でどのようなリモコン操作がされたかを容易に知ることができる。」（第４頁第５欄〜第６欄、段落２３〜２５）
　
（ク）「【００２６】ＡＶ機器14は、リモコンコントローラ44から与えられたリモコンコードに基づいて制御され、音声信号や映像信号のＡＶ信号を出力したりする。リモコンコントローラ44は、また、リモコンコードに基づいて、ＡＶ機器14からのＡＶ信号をＡＶ信号伝送ライン321，…，32nを介していずれかの又は全てのモニタシステム300，301，…，30nにＡＶ信号を送る。
【００２７】例えば、サブルーム161で、ＣＤプレーヤ８による音楽を聞く場合、リモコン信号送信機181を操作し、リモコン信号受信機221にＣＤプレーヤ８の再生とアンプ12の増幅出力を意味するリモコン信号を送る。リモコンコントローラ44は、リモコン信号受信機221及びコントロール信号伝送ライン24を介してリモコンコードとルームＮoを受け取る。このリモコンコードがＲＯＭ54又はＲＡＭ46にあれば、このリモコンコードをアンプ12及びＣＤプレーヤ８に送る。ＣＤプレーヤ８は、リモコンコードに基づいて再生を行い、音声信号をアンプ12に送る。アンプ12は、ＣＤプレーヤ８からの音声信号を増幅し、出力ＯＵＴ1から増幅した音声信号をリモコンコントローラ44に出力する。リモコンコントローラ44は、リモコンコードがＣＤプレーヤ８の再生とアンプ12の増幅出力であるので、ＲＡＭ46に記憶されているルームＮoをみて、この音声信号がサブルーム161に届くようにセレクタ641を切り換える。そして、アンプ12からのＡＶ信号をＡＶ信号伝送ライン321を介してサブルーム161のモニタシステム301に送る。モニタシステム301のモニタスピーカ28は、ＣＤプレーヤ８からの音声信号を再生する。この場合には、表示器480，481，…，48nには、使用中のＣＤプレーヤ８、アンプ12と、ＣＤプレーヤ８とアンプ12のそれぞれの動作内容「ＰＬＡＹ」，「ＯＵＴ1」と、リモコン操作されたルームＮo「１」が表示される（図３参照）。なお、サブルーム16nにおいても、ＣＤプレーヤ８で再生された音楽を聞く場合には、セレクタ64nを切り換えて、アンプ12の出力ＯＵＴ1をＡＶ信号伝送ライン32nに接続するようにすればよい。
【００２８】サブルーム16nで、チューナ４を選局し、これをカセットデッキ10で録音する場合、リモコン信号送信機18nを操作し、リモコン信号受信機22nにチューナ４の選局とカセットデッキ10の録音を意味するリモコン信号を送る。リモコンコントローラ44は、リモコン信号受信機22n及びコントロール信号伝送ライン24を介してリモコンコードとルームＮoを受け取る。このリモコンコードがＲＯＭ54又はＲＡＭ46にあれば、このリモコンコードをチューナ４及びカセットデッキ10に送る。ＣＤプレーヤ８は、リモコンコードに基づいて選局を行い、選局した音声信号をカセットデッキ10に送る。カセットデッキ10は、チューナ４からの音声信号を録音する。この場合には、表示器480，481，…，48nには、使用中のチューナ４、カセットデッキ10と、チューナ４とカセットデッキ10のそれぞれの動作内容「89.9MHz」選局，「ＲＥＣ」と、リモコン操作されたルームＮo「ｎ」も表示される（図３参照）。
【００２９】このようにして、サブルーム161，…，16nからメインルーム２のＡＶ機器14を遠隔制御することができる。
【００３０】このシステムでは、各サブルーム161，…，16nの表示器481，…，48nに、リモコン制御された使用中のＡＶ機器14と、ＡＶ機器14の動作内容と、ルームＮoとを表示するようにしている。したがって、各サブルーム161，…，16nで、ＡＶ機器14の動作内容を容易に知ることができ、リモコン制御を変更する二重操作を未然に防止することができる。また、リモコン制御できるＡＶ機器14や、自己又は他のサブルーム161，…，16nでどのような操作が行われているかも容易に知ることができ、システムの高度利用を図ることができる。また、メインルーム２においても表示器480が設けられており、この表示器480に、リモコン制御された使用中のＡＶ機器14と、ＡＶ機器14の動作内容と、ルームＮoとを表示するようにしている。したがって、メインルーム２で、ＡＶ機器14の動作内容を容易に知ることができ、リモコン制御を変更する二重操作を未然に防止することができる。さらに、最初に使用したルーム以外からのリモコンコードを受け付けないようにしておけば、二重操作は完全に防止できる。この場合、リモコン被制御機器の電源ｏｆｆを検出することにより、上記状態を解除する。また、リモコン制御できるＡＶ機器14や、サブルーム161，…，16nでどのような操作が行われているかも容易に知ることができ、システムの高度利用を図ることができる。なお、メインルームからの制御かどうかの識別は、リモコンコード入力がリモコン信号受信部56の出力であるかどうかを識別することにより、容易に行うことができる。」（第４頁第６欄〜第５頁第７欄、段落２６〜３０）
　
　上記摘記事項（カ）の記載及び図１によれば、メインルームには、リモコンコントローラが設けられており、複数のＡＶ機器と接続されているものであって、該ＡＶ機器は、リモコンコントローラに対して外部機器ということができ、
　同じく、上記摘記事項（カ）の記載及び図１によれば、サブルームには、モニタシステム及びリモコン信号送信機が設けられ、
　上記摘記事項（キ）の【００２３】の記載によれば、リモコンコントローラのＲＡＭには、ＡＶ機器の種類、該機器の動作を一組にしたリモコンコードが記憶されており、該リモコンコードは、上記摘記事項（キ）の【００２５】の記載によれば、サブルームに設けられた表示器に送信されており、
　上記摘記事項（ク）の【００２７】の記載によれば、遠隔操作を行う際に、リモコンコントローラは、リモコン信号送信機からリモコンコードを受信している。
　
　したがって、これらの記載事項及び当該技術分野の技術常識を考慮すると、引用文献２には、以下の発明（以下、「引用発明２」という。）が記載されているものと認められる。
　
（引用発明２）
「複数の外部機器と接続するとともに、サブルームに設けられた複数のモニタシステムに映像および／または音声のデータを送信する、メインルームに設けられたリモコンコントローラであって、自装置に接続されている前記外部機器であるＡＶ機器の種類及び該機器の動作からなるリモコンコードを記憶するＲＡＭを備え、該リモコンコードを前記サブルームに設けられた表示器に送信し、遠隔操作を行う際に、前記リモコンコードを前記サブルームに設けられたリモコン信号送信機から受信し、ＡＶ機器の遠隔制御を行うリモコンコントローラ。」
　
第３　対比
　本願発明と引用発明１とを対比する。
　
　引用発明１の外部機器である「ＡＶ機器」は、本願発明の外部機器である「接続機器」に含まれるものであって、
　本願発明は、外部機器と接続された「センタ装置」が、映像や音声のデータを複数の「端末装置」に送信し、該端末装置からの遠隔操作データに基づいて、外部機器である接続機器を遠隔操作するものであるのに対し、引用発明１は、外部機器と接続された「メインユニット」が、映像や音声のデータを複数の「サブユニット」に送信し、該サブユニットからの遠隔操作データに基づいて、外部機器である接続機器（ＡＶ機器）を遠隔操作するものであるから、本願発明の「センタ装置」及び「端末装置」と、引用発明１の「メインユニット」及び「サブユニット」は、その接続配置において実質的な差異はなく、
　引用発明１の「接続機器（ＡＶ機器）が使用している配信チャンネル」と、本願発明の「接続機器を識別する識別情報」は、遠隔操作を行う接続機器を特定するための、接続機器に関連する情報であるから、両者は、「接続機器関連情報」という点で共通し、
　引用発明１の「（接続機器が使用している）配信チャンネルに対する操作優先権の設定値」と、本願発明の「接続機器の利用状況を示す機器利用情報」は、ともに遠隔操作を行うか否かの判断に用いられる情報であるから、両者は、「遠隔操作判断情報」という点で共通し、
　引用発明１の「リモコンコード」は、本願発明の「遠隔操作情報」に相当する。
　
　したがって、本願発明と引用発明１は、以下の点で一致ないし相違する。
　
（一致点）
　「１または複数の外部機器と接続するとともに、複数の端末装置に映像および／または音声のデータを送信するセンタ装置であって、
　上記端末装置と通信する通信手段と、
　接続機器関連情報と、遠隔操作判断情報を記憶する記憶手段と、
　上記接続機器の遠隔操作を行うための遠隔操作データであって、上記遠隔操作の内容を示す遠隔操作情報と、遠隔操作の対象となる上記接続機器関連情報とを含む遠隔操作データを、上記端末装置から上記通信手段を介して取得する遠隔操作データ取得手段と、
　該遠隔操作データ取得手段が取得した遠隔操作データの接続機器関連情報に対応する接続機器に対し、上記遠隔操作データの遠隔操作情報に基づいて遠隔操作を行う遠隔操作手段とを備えており、
　上記遠隔操作手段は、上記遠隔操作を行うか否かを、上記遠隔操作判断情報に基づいて判断するセンタ装置。」
　
（相違点１）
　接続機器関連情報について、本願発明は、「自装置に接続されている外部機器である接続機器を識別する識別情報」であって、記憶手段に記憶されており、識別情報送信手段によって端末装置に送信され、遠隔操作データ取得手段により遠隔操作情報とともに遠隔操作データとして取得されるのに対し、引用発明１は、「自装置に接続されている外部機器である接続機器が使用している配信チャンネル」であって、該配信チャンネルは記憶手段に記憶されているが、識別情報送信手段を備えておらず、遠隔操作データ取得手段により取得される遠隔操作データも遠隔操作情報と配信チャンネルであり、
　それに関連し、遠隔操作手段において、本願発明は、識別情報に対応する接続機器に対して遠隔操作を行っているのに対し、引用発明１は、配信チャンネルに対応する接続機器に対して遠隔操作を行っている。
　
（相違点２）
　遠隔操作判断情報について、本願発明は、「接続機器の利用状況を示す機器利用情報」であるのに対し、引用発明１は、「（接続機器が使用している）配信チャンネルに対する操作優先権の設定値」であり、
　それに関連し、遠隔操作手段において、遠隔操作を行うか否かの判断が、本願発明は、「機器利用情報」に基づくのに対し、引用発明１は、「（接続機器が使用している）配信チャンネルに対する操作優先権の設定値」に基づくものである。
　
（相違点３）
　本願発明は、「接続機器を利用している端末装置以外の端末装置による遠隔操作が可能か否かを示す操作可否情報」を記憶手段に記憶しており、遠隔操作手段において、遠隔操作を行うか否かを該操作可否情報にも基づいて判断しているのに対し、引用発明１は、その構成がない。
　
第４　判断
　上記相違点についてそれぞれ検討する。
　
・（相違点１）について
　引用発明２のリモコンコントローラ（本願発明との比較でいえば、「センタ装置」に相当する。以下、同様。）が有するＲＡＭ（「記憶手段」）は、ＡＶ機器の種類（「識別情報」）を記憶しており、リモコンコントローラは、該ＡＶ機器の種類を含むリモコンコードを制御側であるサブルームに配置された表示器に送信し、同じくサブルームに設けられたリモコン信号送信機からリモコンコードを受信して、ＡＶ機器（「接続機器」）の遠隔制御を行っているものである。
　そして、引用発明１と引用発明２は、ＡＶ機器の遠隔操作という同一の技術分野に属するものであって、組み合わせることに何ら阻害要因はないから、引用発明１において、配信チャンネルの代わりに識別情報を記憶手段に記憶し、識別情報送信手段によって端末装置に送信し、遠隔操作データ取得手段により遠隔操作情報とともに遠隔操作データとして取得し、遠隔操作手段において、識別情報に対応する接続機器に対して遠隔操作を行うように構成することに格別の困難性はなく、メインユニット（「センタ装置」）及びサブユニット（「端末装置」）間で上記識別情報の送受信を行うように構成することも、引用発明１のメインユニット（「センタ装置」）が、サブユニット（「端末装置」）から遠隔操作データを取得している以上、単なる設計変更の域を出ず、当業者であれば容易になし得るものである。
　
・（相違点２）について
　引用発明１の「配信チャンネル」は、ＡＶ機器（「接続機器」）が映像や音声のデータを送信するために使用されるものであって（「第２　引用発明」の「１　引用発明１」の項中、「摘記事項（イ）」の【０００６】）、「操作優先権の設定値」は、いずれのサブユニット（「端末装置」）によって、その配信チャンネルが使用されているかを示すものであり（「第２　引用発明」の「１　引用発明１」の項中、「摘記事項（エ）」の【００３７】）、「配信チャンネルに対する操作優先権の設定値」は、ＡＶ機器（「接続機器」）が利用されているか否かを示すものということができるから、上記「・（相違点１）について」の項で検討したように、配信チャンネルを（接続機器の）識別情報と変更するに際し、「配信チャンネルに対する操作優先権の設定値」を「接続機器の利用状況を示す機器利用情報」とする程度のことは自明の範囲内である。
　したがって、引用発明１において、「接続機器の利用状況を示す機器利用情報」を記憶手段に記憶し、該機器利用情報に基づいて、遠隔操作を行うか否かを判断するように構成することは、当業者であれば容易になし得るものである。
　
・（相違点３）について
　操作可否情報を記憶しておき、該情報に基づいて、遠隔操作の可否を判断することは、例えば、特開２０００−２２４６７３号公報（「優先権の取得及び解除」に基づく判断、段落３４〜４２、図６）や特開２００２−３７４５８２号公報（「割込み禁止モード」に基づく判断、段落２１〜２５、段落２６〜３１、図３）に記載されているように、本願の優先権主張日前に周知であるから、引用発明１において、「接続機器を利用している端末装置以外の端末装置による遠隔操作が可能か否かを示す操作可否情報」を記憶手段に記憶し、該操作可否情報に基づいて、遠隔操作を行うか否かを判断するように構成することは、当業者であれば容易になし得るものである。
　
　そして、上記相違点１ないし３に係る変更によって、格別な作用・効果を奏するものともいえない。
　
第５　むすび
　以上のとおり、本願発明は、引用発明１、引用発明２及び周知技術に基づいて、当業者であれば容易に発明をすることができたものであるから、特許法第２９条第２項の規定により特許を受けることができない。
　
　よって、結論のとおり審決する。